(57)【要約】【課題】前面カバーの開口部からの水浸入を防止しつつ音質劣化を防ぐことができ、しかもコーティングされた防水タイプのスピーカを使用する必要がなく、低コスト化を図ること。【解決手段】バスレフ型スピーカユニット１の前面を覆う前面カバー４の開口部５は、スピーカブロック２の前方Ｈに位置するスピーカ側開口部６と、バスレフポート３の前方Ｈに位置するポート側開口部７とで構成され、スピーカ側開口部６を水浸入を防止しつつ高音域の音質劣化を防止し得る許容開口幅ｄにすると共に、ポート側開口部７の後端開口幅ｅをスピーカ側開口部６の許容開口幅ｄよりも狭くし且つポート側開口部７の少なくとも下面部８にその下面部前端８ａの高さが下面部後端８ｂよりも低くなるような前下がりの勾配Ｆを設けた水廻りスピーカ構造である。【選択図】図１
2008054247.tif 000002
【特許請求の範囲】
【請求項１】
スピーカブロックとバスレフポートとを備えたバスレフ型スピーカユニットの前面を、複数の開口部を有する前面カバーにて覆った水廻りスピーカ構造であって、前面カバーの開口部は、スピーカブロックの前方に位置するスピーカ側開口部と、バスレフポートの前方に位置するポート側開口部とで構成され、スピーカ側開口部を水浸入を防止しつつ高音域の音質劣化を防止し得る許容開口幅にすると共に、ポート側開口部の後端開口幅をスピーカ側開口部の許容開口幅よりも狭くし且つポート側開口部の少なくとも下面部にその下面部前端の高さが下面部後端よりも低くなるような前下がりの勾配を形成したことを特徴とする水廻りスピーカ構造。
【請求項２】
上記ポート側開口部における前下がりの下面部と対向する上面部に、その上面部前端の高さが上面部後端よりも高くなるような前上がりの勾配を形成したことを特徴とする請求項１記載の水廻りスピーカ構造。
【請求項３】
上記前面カバーの上端縁がその下端縁よりも前方に突出するように、前面カバー全体を傾斜させたことを特徴とする請求項１記載の水廻りスピーカ構造。
【請求項４】
上記請求項１乃至３のいずれかに記載の水廻りスピーカ構造を用いたスピーカ内蔵便器であって、上記前面カバーを樹脂製便器のスカート部に形成した穴部に取り付けると共に、スカート部の内側に前面カバーに面してバスレフ型スピーカユニットを設置したことを特徴とするスピーカ内蔵便器。
【発明の詳細な説明】
【技術分野】
【０００１】
本発明は、スピーカブロックとバスレフポートとを備えたバスレフ型スピーカユニットの前面を、複数の開口部を有する前面カバーにて覆った水廻りスピーカ構造及びこれを用いたスピーカ内蔵便器に関するものである。
【背景技術】
【０００２】
近年、トイレ室にスピーカを設置して、流水音等の擬音を発生させたり、好みの音楽を楽しんだりすることが増えてきている（例えば、特許文献１参照）。
【０００３】
また、狭いスペースの設置に適したスピーカとして、小型で且つ低音再生が可能なバスレフ型スピーカユニットが好適に用いられている（例えば、特許文献２参照）。
【０００４】
ところで、トイレ室内の清掃時には、ホースによる水かけ洗いや小水の飛散などが十分想定される。このため、浸水によるスピーカの故障を防ぐために前面カバーを取り付けるなどの防水対策が不可欠である。ただし一定の音質を確保するためには前面カバーに開口部を設ける必要があり、図７にその一例を示す。
【０００５】
ところが図７に示すようなスリット構造の開口部５では、水の浸入が容易に起こり得る。また例えば、図８のように前面カバー４´及びスピーカユニット１´を傾けて水が浸入しにくくした場合でも、前面カバー４´にかかった水が開口部５に飛散して、図８の実線矢印→破線矢印で示すように、水の飛沫がバスレフポート（音響共鳴管）３内部を通じてスピーカブロック２内部に浸入するという課題がある。
【０００６】
これを解決するためには、コーティングされた防水タイプのスピーカユニットを使用することも考えられるが、この場合、一般のコーティングされていないスピーカと比べて使用頻度が極端に低いこともあり、コストが高くつくという課題があり、さらにバスレフポート３は空気振動しているため防水構造にすることが困難であるという課題もある。
【特許文献１】特開平８−２２８９６５号公報
【特許文献２】特開平１１−４１６８０号公報
【発明の開示】
【発明が解決しようとする課題】
【０００７】
本発明は上記の従来の問題点に鑑みて発明したものであって、前面カバーの開口部からの水浸入を防止しつつ音質劣化を防ぐことができ、しかもコーティングされた防水タイプのスピーカを使用する必要がなく、低コストの水廻りスピーカ構造及びこれを用いたスピーカ内蔵便器を提供することを課題とするものである。
【課題を解決するための手段】
【０００８】
前記課題を解決するために本発明の水廻りスピーカ構造は、スピーカブロック２とバスレフポート３とを備えたバスレフ型スピーカユニット１の前面を、複数の開口部５を有する前面カバー４にて覆った水廻りスピーカ構造であって、前面カバー４の開口部５は、スピーカブロック２の前方Ｈに位置するスピーカ側開口部６と、バスレフポート３の前方Ｈに位置するポート側開口部７とで構成され、スピーカ側開口部６を水浸入を防止しつつ高音域の音質劣化を防止し得る許容開口幅ｄにすると共に、ポート側開口部７の後端開口幅ｅをスピーカ側開口部６の許容開口幅ｄよりも狭くし且つポート側開口部７の少なくとも下面部８にその下面部前端８ａの高さが下面部後端８ｂよりも低くなるような前下がりの勾配Ｆを形成したことを特徴としている。
【０００９】
このような構成とすることで、スピーカ側開口部６において水浸入を防止しつつスピーカブロック２から発せられる指向性の強い高周波成分の低下をなくすことができるようになり、一方、ポート側開口部７において、低周波を増長するバスレフポート３からの低音域の音質劣化を防止しつつ、水の飛沫を下面部８の前下がりの勾配Ｆに沿って外部に排水できるようになり、スピーカユニット１の故障の恐れを減じることができるようになる。
【００１０】
また、上記ポート側開口部７の前下がりの下面部８と対向する上面部９に、その上面部前端９ａの高さが上面部後端９ｂよりも高くなるような前上がりの勾配Ｇを形成するのが好ましく、この場合、ポート側開口部７において水の飛沫を外部に逃がす排水除去効果をより高めることができる。
【００１１】
また、上記前面カバー４の上端縁４ａがその下端縁４ｂよりも前方Ｈに突出するように、前面カバー４全体を傾斜させるのが好ましく、この場合、水浸入防止効果をより高めながら、外観向上を図ることができる。
【００１２】
さらに本発明の上記水廻りスピーカ構造を用いたスピーカ内蔵便器は、上記前面カバー４を樹脂製便器１０のスカート部１１に形成した穴部１２に取り付けると共に、スカート部１１の内側に前面カバー４に面してバスレフ型スピーカユニット１を設置したことを特徴としている。
【００１３】
このような構成とすることで、樹脂製便器１０のスカート部１１内に、水浸入防止効果及び音質劣化防止効果に優れた前面カバー１４付きバスレフ型スピーカユニット１を一体化できるようになる。
【発明の効果】
【００１４】
本発明に係る水廻りスピーカ構造は、バスレフ型スピーカユニットの前面を覆う前面カバーの２種類の開口部（ポート側開口部、スピーカ側開口部）からの水浸入を防止しつつ音質劣化を防ぐことができるので、バスレフ型スピーカユニットの信頼性が向上すると共に、コーティングされた防水タイプのスピーカを使用する必要がなく、水廻りスピーカ構造の低コスト化を実現できるものである。
【００１５】
また本発明に係るスピーカ内蔵便器は、水浸入防止効果及び音質劣化防止効果に優れた水廻りスピーカ構造を樹脂製便器に対して容易に組み込むことができる。
【発明を実施するための最良の形態】
【００１６】
以下、本発明を添付図面に示す実施形態に基いて説明する。
【００１７】
図１（ａ）（ｂ）は、本発明の一実施形態に用いるバスレフ型スピーカユニット１及び前面カバー４の一例を示し、図２は樹脂製便器１０の一例を示し、図３は該樹脂製便器１０のスカート部１１の内側にバスレフ型スピーカユニット１を収納する場合の一例を示す図である。
【００１８】
樹脂製便器１０は、ボウル部１３と、ボウル部１３の後部上面に付設された温水洗浄便座装置１４とを備えている。ボウル部１３の下端外周はスカート部１１で覆われている。
【００１９】
上記スカート部１１の前面の左右両サイドには、一対のバスレフ型スピーカユニット１がそれぞれ内蔵されている。これらバスレフ型スピーカユニット１は、例えば、温水洗浄便座装置１４に設けた操作部（図示せず）にて操作され、操作の内容に応じて、好みの音楽や、水洗洗浄音の擬音、さらに音声による温水洗浄便座装置の使い方の説明などを適宜再生するものであり、より快適で便利なトイレ空間を提供できるようになっている。
【００２０】
上記バスレフ型スピーカユニット１は、図１に示すように、スピーカブロック２と、低周波を増長するバスレフポート（音響共鳴管）３と、これらを収納するエンクロージャーと称される筐体１５とで構成されている。
【００２１】
本例では筐体１５の前面下部にスピーカブロック２が取り付けられ、その上部にポート部３が開口している。ここで、スピーカブロック２の背面に放射される音は前面に放射される音に対して位相が１８０°ずれているが、背面に放射される音が筐体１５内のバスレフポート３内を通じて前面から放射されるようになり、このときスピーカブロック２の前面から放射される音と位相が揃い、低音特性が増強されることで、バスレフポート３の前面部において低音再生域が拡大されるものである。なお本例では、スピーカブロック２の上にバスレフポート３を配置した例を示しているが、両者の位置関係はこれに限定されるものではなく、またスピーカブロック２とバスレフポート３の数も特に限定されるものではない。
【００２２】
上記バスレフ型スピーカユニット１の前面は前面カバー４にて覆われる。この前面カバー４は、樹脂製便器１０のスカート部１１に形成した穴部１２に取着されている。前面カバー４には、スピーカユニット１の発した音を前面カバー４の外部に通過させると共に水等の浸入を防止し得る複数の開口部５が穿設されている。この開口部５は、横方向に長く且つ上下に扁平なスリット構造を有しており、スピーカブロック２の前方Ｈに位置するスピーカ側開口部６と、バスレフポート３の前方Ｈに位置するポート側開口部７との２種類に分類されている。本例ではスピーカ側開口部６を水平スリットで構成し、ポート側開口部７を傾斜スリットで構成している。
【００２３】
ここで、上記スピーカブロック２の前方Ｈに位置するスピーカ側開口部６において、水浸入・異物侵入を防ぐ内部保護を想定した場合に、図４（ａ）のように最大許される上限値ｄを維持している。この上限値ｄがスピーカ側開口部６において水浸入を防止しつつ高音域の音質劣化を防止し得る許容開口幅となる。
【００２４】
一方、バスレフポート３の前方Ｈに位置するポート側開口部７において、水浸入・異物侵入を防ぐ内部保護を想定した場合に、スピーカ側開口部６と比べて開口形状のバスレフポート３では水の飛沫が浸入しやすいため、スピーカ側開口部６よりも狭める必要がある。そこで、本発明では、ポート側開口部７の後端開口幅ｅを前記スピーカ側開口部６の許容開口幅ｄよりも狭くし、且つ、ポート側開口部７の下面部８に、その下面部前端８ａの高さが下面部後端８ｂよりも低くなるような前下がりの勾配Ｆを形成している。これにより図５の矢印で示すように、水の飛沫を外部に逃がす排水除去効果が得られるようになっている。さらに本例では図４（ｃ）に示すように、ポート側開口部７の前下がりの下面部８と対向する上面部９に、その上面部前端９ａの高さが上面部後端９ｂよりも高くなるような前上がりの勾配Ｇを形成してある。これにより、ポート側開口部７はその後端から前端に行く程上下に幅広となり、前端開口幅ｆはスピーカ側開口部６の許容開口幅ｄとほぼ同じ程度となっている。これにより勾配Ｆ，Ｇによって水の飛沫を外部に跳ね返すことができると共に、バスレフポート３からの低音域の音質劣化を防止できるようになっている。つまり、バスレフポート３から発せられる音は主に低周波域で指向性が弱いため、ポート側開口部７の後端開口幅ｅをスピーカ側開口部６の許容開口幅ｄよりも狭くした場合でも、バスレフポート３からの低音域の音質劣化がないものである。
【００２５】
ちなみに、スピーカ側開口部６の許容開口幅ｄをポート側開口部７と同様に狭めると、スピーカブロック２から発せられる指向性の強い高周波成分が低下して音質が明確に劣化してしまうことになる。そこで、本発明では、スピーカ側開口部６では、図４（ａ）のように勾配をつけずに、水浸入及び高音域の劣化を防止し得る許容開口幅ｄで開口させるようにしている。
【００２６】
しかして、上記構成のように、前面カバー４の開口部５をポート側開口部７とスピーカ側開口部６の２種類に分類することで、開口部５からの水の飛沫等の浸入防止を図ることができると共に、音の通過性への影響はほとんどなく、これにより、前面カバー４の前面方向から音の高音域および低音域を十分に聞き取ることができ、バスレフ型による音質向上を図ることが可能となる。しかも、前面カバー４の開口部５の開口幅等を設計変更をするだけで、コーティングされた防水タイプのスピーカを用いる必要がなくなり、安価な構成部品で、充分な防水対策を行うことができる。
【００２７】
また本例では樹脂製便器１０のスカート部１１にバスレフ型スピーカユニット１を組み込むことによって、既設の樹脂製便器１０に対して低コストで付加的に設置可能となる。
【００２８】
さらに本例ではポート側開口部７の後端開口幅ｅを狭くできるので、外部からポート側開口部７を通してバスレフポート３の開口形状が透視されにくくなり、外観が良好になる利点もある。
【００２９】
なお、前記実施形態では、ポート側開口部７の上下両面に勾配Ｆ，Ｇを設けた場合を説明したが、他の実施形態として、水の飛散が上方からの飛散だけを想定した場合は、図６（ａ）に示すように、ポート側開口部７の下面部８のみに前下がりの勾配Ｆを形成した片側勾配のスリット構造としてもよい。この場合、水浸入防止効果をより高めることができる構造となり、さらに図６（ｂ）に示すように、前面カバー４の上端縁４ａが下端縁４ｂよりも前方Ｈに突出するように、前面カバー４全体を傾斜させると共に、この前面カバー４と同じ角度、同じ向きにバスレフ型スピーカユニット１全体を傾斜させるようにしてもよく、これにより音質の劣化を更に軽減しつつ、前面カバー４による水浸入防止効果、外観向上効果をより一層高めることができる。
【００３０】
本発明の水廻りスピーカ構造は、樹脂製便器に適用されるだけでなく、トイレ室内の水廻り、さらにトイレ室以外の住宅設備の水廻りに広範囲に適用可能である。
【図面の簡単な説明】
【００３１】
【図１】本発明の一実施形態のバスレフ型スピーカユニット及び前面カバーを備えた水廻りスピーカ構造を示し、（ａ）は正面図、（ｂ）は側面図である。
【図２】同上の水廻りスピーカ構造が用いられる樹脂製便器の側面断面図である。
【図３】同上の樹脂製便器のスカート部にバスレフ型スピーカユニット及び前面カバーを設ける場合の一例を示す分解斜視図である。
【図４】同上の前面カバーの開口部を示す側面断面図であり、（ａ）はスピーカ側開口部の一例を示し、（ｂ）はポート側開口部の一例を示し、（ｃ）はポート側開口部の他例を示す図である。
【図５】同上のポート側開口部の勾配と水の飛沫が跳ね返る方向とを説明する図である。
【図６】本発明の他の実施形態を示し、（ａ）は片側勾配のスリット構造の説明図、（ｂ）は片側勾配のスリット構造を有する前面カバーとバスレフ型スピーカユニットを同一方向に傾斜させた場合の説明図である。
【図７】従来の前面カバーの開口部のスリット構造の説明図である。
【図８】従来の開口部からバスレフポートに水の飛沫が浸入する場合の説明図である。
【図９】従来のバスレフ型スピーカユニットの斜視図である。
【符号の説明】
【００３２】
１  バスレフ型スピーカユニット
２  スピーカブロック
３  バスレフポート
４  前面カバー
５  開口部
６  スピーカ側開口部
７  ポート側開口部
８  ポート側開口部の下面部
８ａ  下面部前端
８ｂ  下面部後端
９  ポート側開口部の上面部
１０  樹脂製便器
１１  スカート部
１２  穴部
ｄ  許容開口幅
ｅ  後端開口幅
Ｆ  前下がりの勾配
Ｇ  前上がりの勾配
Ｈ  前方
【図１】
2008054247.tif 000003
【図２】
2008054247.tif 000004
【図３】
2008054247.tif 000005
【図４】
2008054247.tif 000006
【図５】
2008054247.tif 000007
【図６】
2008054247.tif 000008
【図７】
2008054247.tif 000009
【図８】
2008054247.tif 000010
【図９】
2008054247.tif 000011